(57)【要約】【課題】多くの色を１つの携帯端末の表示部に表示させることができると共に、前記携帯端末のみで意味のある情報を表示可能な発光制御システムを提供する。【解決手段】制御装置１２で作成された発光処理コマンドを親機１４から各子機１８（１）〜１８（ｎ）に送信すると、子機側制御部３６は、前記発光処理コマンドから自己の子機番号コードに対応する発光情報データを取得してワークメモリ４２に格納する。前記子機側制御部３６は、前記発光情報データを含む発光処理コマンドを作成し、携帯電話機２０（１）〜２０（ｎ）に転送する。前記携帯電話機２０（１）〜２０（ｎ）の制御部５０は、前記発光情報データに基づいて表示部５４の発光処理を行う。【選択図】図２
2005249910.tif 000002
【特許請求の範囲】
【請求項１】
制御装置と、
前記制御装置に接続される少なくとも１つの親機と、
前記親機に無線により接続される少なくとも１つの子機と、
前記子機に接続され、表示部を有する携帯端末と、
を備え、
前記制御装置は、前記親機から前記子機にデータを送信し、
前記子機は、受信された前記データを前記携帯端末に転送し、
前記携帯端末は、転送された前記データに基づく表示内容を前記表示部に表示する
ことを特徴とする発光制御システム。
【請求項２】
請求項１記載の発光制御システムにおいて、
前記制御装置は、前記子機を識別する子機識別データと発光情報データとからなる子機制御データ、及び同期データから構成される発光処理コマンドを、前記親機から前記子機に送信し、
前記発光処理コマンドを受信した前記子機は、前記子機識別データが自己を示すデータであるか否かを判定し、自己を示すデータであった場合、前記発光情報データのうち、前記自己のデータに対応する発光情報データ及び前記同期データを前記携帯端末に転送し、
前記発光情報データ及び前記同期データを受信した前記携帯端末は、前記同期データにより決定されるタイミングで、前記発光情報データに基づいた表示内容を自己の前記表示部に表示する
ことを特徴とする発光制御システム。
【請求項３】
制御装置と、
前記制御装置に接続される少なくとも１つの親機と、
前記親機に無線により接続される少なくとも１つの子機と、
前記子機に接続され、表示部を有する携帯端末と、
を備え、
前記携帯端末は、前記子機を介して前記親機にデータの送信を要求する送信要求信号を送信し、
前記制御装置は、前記送信要求信号に基づいて前記親機から前記子機にデータを送信し、
前記子機は、受信された前記データを前記携帯端末に転送し、
前記携帯端末は、転送された前記データに基づいた表示内容を前記表示部に表示する
ことを特徴とする発光制御システム。
【請求項４】
制御装置と、
前記制御装置に接続される少なくとも１つの親機と、
前記親機に無線により接続され、表示パターンを示す表示パターンデータが記憶された記憶部を有する少なくとも１つの子機と、
前記子機に接続され、表示部を有する携帯端末と、
を備え、
前記制御装置は、前記親機から前記子機にデータを送信し、
前記子機は、前記データ及び前記表示パターンデータを前記携帯端末に転送し、
前記携帯端末は、転送された前記データ及び前記表示パターンデータに基づいて前記表示パターンを示す表示内容を前記表示部に表示する
ことを特徴とする発光制御システム。
【請求項５】
請求項１〜４のいずれか１項に記載の発光制御システムにおいて、
前記携帯端末は、携帯電話機である
ことを特徴とする発光制御システム。
【発明の詳細な説明】
【技術分野】
【０００１】
本発明は、スタジアム、スタジオ、ホール等における演出効果を高めるための発光装置を制御する発光制御システムに関する。
【背景技術】
【０００２】
スタジアム、スタジオ、ホール等のイベント会場における雰囲気を盛り上げるために、様々な演出方法が採られている。例えば、音に合わせて複数のスポットライトから発光する光の色や光の照射位置を変化させる演出方法、あるいは、観客にペンライトを持たせて、複数のペンライトからの発光によって表現される所定のパターンを変化させる等の演出方法を挙げることができる。
【０００３】
ところで、従来は、スポットライトやペンライト等の発光装置と、前記発光装置を制御する制御装置とは、ケーブルで接続されていた。従って、イベント会場での据付けの際、前記ケーブルを引き回さなければならず、作業者は多大な労力と時間の消費とを強いられていた。また、前記イベント会場の床下等が前記ケーブルにより雑然となるという問題もあった。
【０００４】
そこで、前記発光装置と前記制御装置とを前記ケーブルで接続したことに伴う上述した問題を解決するために、従来、携帯発光装置と発光状態制御装置とを無線を介して接続するようにした技術が提案されている（特許文献１参照）。
【０００５】
特許文献１では、複数の携帯発光装置にそれぞれアドレスが付与され、イベント会場の各観客席にもアドレスが付与されている。そして、前記携帯発光装置のアドレスと、前記携帯発光装置を持った観客が座る観客席のアドレスとが一致した状態で、発光状態制御装置から前記携帯発光装置に発光制御信号を送信すると、前記携帯発光装置を構成する複数の発光ダイオード(ＬＥＤ)が発光する。
【０００６】
【特許文献１】特開２００３−３６９８１号公報
【発明の開示】
【発明が解決しようとする課題】
【０００７】
しかしながら、特許文献１は、複数のＬＥＤを組み合わせて１つの色を表示させるという単調なものであり、１つの携帯発光装置で多数の色を表示させることはできない。
【０００８】
また、特許文献１では、複数の携帯発光装置を発光させることによって、例えば文字や絵のような意味のある情報を表示させているが、１つの携帯発光装置の発光だけで、上述した意味のある情報を表示させることはできない。
【０００９】
本発明は、多くの色を１つの携帯端末の表示部に表示させることができ、前記携帯端末のみで意味のある情報を表示可能な発光制御システムを提供することを目的とする。
【課題を解決するための手段】
【００１０】
本発明に係る発光制御システムは、制御装置と、前記制御装置に接続される少なくとも１つの親機と、前記親機に無線により接続される少なくとも１つの子機と、前記子機に接続され、表示部を有する携帯端末と、を備え、前記制御装置は、前記親機から前記子機にデータを送信し、前記子機は、受信された前記データを前記携帯端末に転送し、前記携帯端末は、転送された前記データに基づく表示内容を前記表示部に表示することを特徴とする（請求項１記載の発明）。
【００１１】
前記携帯端末を構成する前記表示部は、複数のＬＥＤの組み合わせと比較して、多くの色を一挙に表示することができると共に、階調の多い色を表示することもできる。そのため、前記親機から前記子機に前記データを送信すれば、前記携帯端末の前記表示部は、前記データに基づいて多色で階調の多い表示内容を表示することが可能となる。
【００１２】
また、スタジアム、スタジオ、ホール等のイベント会場において、前記イベント会場内に配置された前記子機に前記データを送信すれば、前記携帯端末の前記表示部に様々な色を示す表示内容が表示されるので、前記イベント会場の演出を盛り上げることができる。
【００１３】
さらに、前記表示部に前記表示内容が表示されている間、前記携帯端末の他の機能を無効状態にすることが可能となる。例えばカメラ付き携帯電話機のカメラ機能が停止することにより、前記イベント会場における歌手等の演者の肖像権侵害を防止することができる。
【００１４】
この場合、前記制御装置は、前記子機を識別する子機識別データと発光情報データとからなる子機制御データ、及び同期データから構成される発光処理コマンドを、前記親機から前記子機に送信し、前記発光処理コマンドを受信した前記子機は、前記子機識別データが自己を示すデータであるか否かを判定し、自己を示すデータであった場合、前記発光情報データのうち、前記自己のデータに対応する発光情報データ及び前記同期データを前記携帯端末に転送し、前記発光情報データ及び前記同期データを受信した前記携帯端末は、前記同期データにより決定されるタイミングで、前記発光情報データに基づいた表示内容を自己の前記表示部に表示するようにしてもよい（請求項２記載の発明）。
【００１５】
前記親機から前記子機に前記発光処理コマンドが送信されると、前記子機は自己のデータを選択し、選択された前記データを前記携帯端末に転送することにより、前記携帯端末の前記表示部に様々な色を表示させることができる。従って、前記イベント会場の演出をさらに盛り上げることが可能となる。
【００１６】
また、本発明に係る発光制御システムは、制御装置と、前記制御装置に接続される少なくとも１つの親機と、前記親機に無線により接続される少なくとも１つの子機と、前記子機に接続され、表示部を有する携帯端末と、を備え、前記携帯端末は、前記子機を介して前記親機にデータの送信を要求する送信要求信号を送信し、前記制御装置は、前記送信要求信号に基づいて前記親機から前記子機にデータを送信し、前記子機は、受信された前記データを前記携帯端末に転送し、前記携帯端末は、転送された前記データに基づいた表示内容を前記表示部に表示することを特徴とする（請求項３記載の発明）。
【００１７】
この場合、前記携帯端末からの前記送信要求信号に基づいて、前記親機から前記子機に前記データが送信されるので、前記携帯端末の前記表示部では、異なる色や階調色が表示される。従って、この場合でも、前記イベント会場の演出をより一層盛り上げることができる。
【００１８】
さらに、本発明に係る発光制御システムは、制御装置と、前記制御装置に接続される少なくとも１つの親機と、前記親機に無線により接続され、表示パターンを示す表示パターンデータが記憶された記憶部を有する少なくとも１つの子機と、前記子機に接続され、表示部を有する携帯端末と、を備え、前記制御装置は、前記親機から前記子機にデータを送信し、前記子機は、前記データ及び前記表示パターンデータを前記携帯端末に転送し、前記携帯端末は、転送された前記データ及び前記表示パターンデータに基づいて前記表示パターンを示す表示内容を前記表示部に表示することを特徴とする（請求項４記載の発明）。
【００１９】
この場合、前記データ及び前記表示パターンデータに基づいて、前記携帯端末の前記表示部に、文字や絵や幾何学的模様等の前記表示パターンが多色で表示される。従って、１つの携帯端末に上述した意味のある表現を多色で表示させることができる。
【００２０】
さらにまた、上述した携帯端末は、携帯電話機であることが好ましい（請求項５記載の発明）。
【発明の効果】
【００２１】
上述したように、本発明によれば、携帯端末を構成する表示部は、複数のＬＥＤの組み合わせと比較して、多くの色を一挙に表示することができると共に、階調の多い色を表示することもできるので、親機から子機にデータを送信すれば、前記携帯端末の表示部は、前記データに基づいて多色で階調の多い表示内容を表示することが可能となる。
【００２２】
また、本発明によれば、携帯端末からの送信要求信号に基づいて、親機から子機にデータが送信されるので、前記携帯端末の表示部では、異なる色や階調色が表示される。従って、この場合でも、イベント会場の演出をより一層盛り上げることができる。
【００２３】
さらに、本発明によれば、データ及び表示パターンデータに基づいて、携帯端末の表示部に、文字や絵や幾何学的模様等の前記表示パターンが多色で表示される。従って、１つの携帯端末に上述した意味のある表現を多色で表示させることができる。
【発明を実施するための最良の形態】
【００２４】
本発明に係る発光制御システムについて、好適な実施の形態を挙げ、添付の図面を参照しながら以下に説明する。
【００２５】
第１の実施の形態に係る発光制御システム１０Ａは、図１に示すように、制御装置１２と、制御装置１２に接続される親機１４と、無線１６を介して前記親機１４に接続される複数の子機１８（１）〜１８（ｎ）と、前記各子機１８（１）〜１８（ｎ）に接続される複数の携帯電話機２０（１）〜２０（ｎ）とから基本的に構成される。
【００２６】
制御装置１２は、汎用のパーソナルコンピュータやワークステーション、あるいは前記発光制御システム１０Ａに特化した専用機等で構成され、複数の子機１８（１）〜１８（ｎ）に対する各種コマンド等のデジタルデータを作成し、前記デジタルデータを親機１４に出力する。
【００２７】
親機１４は、図２に示すように、制御装置１２から出力されたデジタルデータを入力して処理する親機側制御部２２と、前記親機側制御部２２からのデジタルデータを送信することが可能な高周波信号（搬送波）に重畳させる処理（変調）を行う変調部２４と、変調された前記搬送波を増幅する増幅部２６と、親機用アンテナ２８とから構成される。
【００２８】
子機１８（１）〜１８（ｎ）は、親機用アンテナ２８から送信された電波を受信する子機用アンテナ３０と、受信した前記電波に基づく電気信号を増幅する増幅部３２と、増幅された前記電気信号を復調してデジタルデータを得るための復調部３４と、得られた前記デジタルデータを処理する子機側制御部３６と、前記子機１８（１）〜１８（ｎ）の子機番号コード等の各種データを格納する第１メモリ３８と、前記親機１４からの発光パターンプログラムを格納する第２メモリ４０と、ワークメモリ４２と、バッテリ４４と、インターフェース部４６とから構成される。
【００２９】
なお、前記子機番号コードとは、前記子機１８（１）〜１８（ｎ）を識別するために前記各子機１８（１）〜１８（ｎ）に付与されたものであり、参照符号１８（１）〜１８（ｎ）の括弧内の番号１〜ｎをいう。
【００３０】
携帯電話機２０（１）〜２０（ｎ）は、子機１８（１）〜１８（ｎ）のインターフェース部４６に接続されるインターフェース部４８と、前記インターフェース部４６、４８を介して前記子機１８（１）〜１８（ｎ）から入力されるデータを処理する制御部５０と、前記制御部５０に接続されるメモリ５２と、前記制御部５０から出力された内容を表示する表示部５４と、前記携帯電話機２０（１）〜２０（ｎ）を携帯する観客が操作する操作手段５６と、外部の風景等を撮影可能なカメラ撮影部５８と、携帯電話機用アンテナ６２を介して外部と送受信を行う送受信部６０と、バッテリ６４とを有する。この場合、前記表示部５４は、例えば数万色の光を発光可能なカラー液晶画面である。
【００３１】
第１の実施の形態に係る発光制御システム１０Ａは、基本的には、以上のように構成されるものであり、次に、各携帯電話機２０（１）〜２０（ｎ）における表示部５４の発光制御について説明する。
【００３２】
前記表示部５４の発光処理は、図２及び図３に示すように、先ず、制御装置１２において、発光処理コマンド７０を作成する（ステップＳ１）。
【００３３】
この場合、発光処理コマンド７０は、図５に示すように、コマンドの開始を示す開始データ７２と、子機番号コード１〜ｎが格納される子機識別データ７４及び表示部５４を発光させるための発光情報データ７６からなる子機１８（１）〜１８（ｎ）毎の子機制御データ７８と、終了データ８０（同期データ）とから構成される。
【００３４】
次いで、制御装置１２は、図３に示すように、作成した前記発光処理コマンド７０を親機１４に出力する（ステップＳ２）。
【００３５】
制御装置１２から出力された発光処理コマンド７０は、親機側制御部２２（図２参照）に入力される（ステップＳ３）。親機側制御部２２は、入力された発光処理コマンド７０を変調部２４に転送し、前記変調部２４は、前記発光処理コマンド７０を電波として送信することができる高周波信号（搬送波）に重畳させる変調処理を行う。変調された前記搬送波は、増幅部２６において増幅され（ステップＳ４）、さらに親機用アンテナ２８から電波として各子機１８（１）〜１８（ｎ）に送信される（ステップＳ５）。
【００３６】
親機用アンテナ２８から送信された電波は、各子機１８（１）〜１８（ｎ）の子機用アンテナ３０で同時に受信され、その後、前記電波による電気信号は増幅部３２で増幅され、さらに復調部３４において復調されてデジタルデータとなる（ステップＳ６）。
【００３７】
得られた前記デジタルデータは、各子機１８（１）〜１８（ｎ）の子機側制御部３６に同時に入力され、以下の処理が行われる。
【００３８】
先ず、子機側制御部３６は、前記デジタルデータが発光処理コマンド７０の開始データ７２であるか否かを判定する（ステップＳ７）。開始データ７２であると判定した場合、子機側制御部３６は、ステップＳ６の処理を再度実行し、次のデジタルデータを取得する。一方、ステップＳ７において、開始データ７２でないと判定した場合、前記子機側制御部３６は、前記デジタルデータが終了データ８０であるか否かを判定する（ステップＳ８）。前記デジタルデータが終了データ８０でないと判定した場合、前記子機側制御部３６は、前記デジタルデータ内の子機番号コード１〜ｎと第１メモリ３８に格納されている自己の子機番号コードとを比較し（ステップＳ９）、一致した場合、前記デジタルデータに続く次のデジタルデータ、すなわち、発光情報データ７６を取得し、ワークメモリ４２に格納する（ステップＳ１０）。
【００３９】
ステップＳ９の処理において、前記デジタルデータが自己の子機番号コードと一致しない場合、子機側制御部３６は、ステップＳ６の処理を再度実行して次のデジタルデータを取得する。
【００４０】
また、ステップＳ８の処理において、前記デジタルデータが終了データ８０であった場合、子機側制御部３６は、図４に示すように、ワークメモリ４２に格納されている発光情報データ７６に基づいて発光処理コマンド９０を作成する（ステップＳ１１）。
【００４１】
前記発光処理コマンド９０は、図６に示すように、コマンドの開始を示す開始データ９２と、ワークメモリ４２に格納され、且つ表示部５４を発光させるための発光情報データ９４と、終了データ９６（同期データ）とから構成される。
【００４２】
次に、図４に示すように、子機側制御部３６（図２参照）は、作成した前記発光処理コマンド９０をインターフェース部４６、４８を介して制御部５０に転送する（ステップＳ１２）。この場合、インターフェース部４６、４８がシリアルポートであれば、前記発光処理コマンド９０の示すデジタルデータはシリアル信号である。
【００４３】
次いで、子機側制御部３６から転送された発光処理コマンド９０は、制御部５０に入力される（ステップＳ１３）。
【００４４】
ここで、制御部５０は、子機側制御部３６からのデジタルデータが発光処理コマンド９０の開始データ９２であるか否かを判定する（ステップＳ１４）。開始データ９２であると判定した場合、前記制御部５０は、ステップＳ１３の処理を再度実行し、次のデジタルデータを取得する。一方、ステップＳ１４において、開始データ９２でないと判定した場合、前記制御部５０は、前記デジタルデータが終了データ９６であるか否かを判定する（ステップＳ１５）。前記デジタルデータが終了データ９６でないと判定した場合、前記制御部５０は、発光情報データ９４を取得し、メモリ５２に格納する（ステップＳ１６）。
【００４５】
ステップＳ１５の処理において、前記デジタルデータが終了データ９６であった場合、制御部５０は、ワークメモリ４２に格納されている発光情報データ９４に基づいて表示部５４の発光処理を行う（ステップＳ１７）。この場合、発光情報データ９４が白色を表示させるデータであれば、図７に示すように、表示部５４全体に白色の発光パターン９８が表示される。
【００４６】
また、発光制御システム１０Ａでは、表示部５４に発光パターン９８以外の、例えば、丸や三角の幾何学模様や文字を色彩表示させることも可能である。この場合には、図４のステップＳ１１において、図８に示す発光処理コマンド１００を作成する。
【００４７】
前記発光処理コマンド１００は、コマンドの開始を示す開始データ１０２と、第２メモリ４０（図２参照）に格納され、且つ表示部５４に所定の幾何学模様や文字を表示パターンを表示させるための表示パターンデータ１０４と、ワークメモリ４２に格納され、且つ表示部５４を発光させるための発光情報データ１０６と、終了データ１０８（同期データ）とから構成される。
【００４８】
そして、図４のステップＳ１７の発光処理により、表示部５４には、図９に示すように発光情報データ１０６に基づく発光パターン９８と、表示パターンデータ１０４に基づく表示パターン１１０とが、それぞれ表示される。
【００４９】
第１の実施の形態に係る発光制御システム１０Ａでは、制御装置１２において作成された発光処理コマンド７０が、親機１４から子機１８（１）〜１８（ｎ）に送信され、前記発光処理コマンド７０に基づいて前記子機１８（１）〜１８（ｎ）で作成された発光処理コマンド９０が、前記子機１８（１）〜１８（ｎ）から携帯電話機２０（１）〜２０（ｎ）に転送される。前記携帯電話機２０（１）〜２０（ｎ）は、前記発光処理コマンド９０に基づいて表示部５４を発光させるので、前記発光制御システム１０Ａは、前記制御装置１２から表示部５４の発光を制御することができる。
【００５０】
また、携帯電話機２０（１）〜２０（ｎ）の表示部５４は、複数のＬＥＤの組み合わせからなる従来の携帯発光装置と比較して、多くの色を一挙に表示することができると共に、階調の多い色を表示することができるので、発光処理コマンド９０に基づいて多色で階調の多い表示内容を表示することが可能となる。
【００５１】
例えば、スタジアム、スタジオ、ホール等のイベント会場において、前記イベント会場内に配置された前記各子機１８（１）〜１８（ｎ）に発光処理コマンド７０を送信すれば、各携帯電話機２０（１）〜２０（ｎ）の表示部５４に様々な色を示す表示内容が表示されるので、前記イベント会場の演出を盛り上げることができる。
【００５２】
さらに、表示部５４に前記表示内容が表示されている間、制御部５０からカメラ撮影部５８を制御することはできないので、前記イベント会場における歌手等の演者の肖像権侵害を防止することができる。
【００５３】
次に、第２の実施の形態に係る発光制御システム１０Ｂについて、図１０及び図１１を参照しながら説明する。なお、第１の実施の形態に係る発光制御システム１０Ａと同一の構成要素については、同一の参照符号を付して、その詳細な説明を省略する。
【００５４】
第２の実施の形態に係る発光制御システム１０Ｂは、図１０に示すように、親機１４内に、増幅部２６で増幅された電気信号を復調する復調部１１２が配置され、各子機１８（１）〜１８（ｎ）内に、子機側制御部３６からの信号を変調する変調部１１４が配置されている点で、第１の実施の形態に係る発光制御システム１０Ａ（図２参照）とは異なる。
【００５５】
ここで、発光制御システム１０Ｂによる表示部５４の発光制御について、図１０及び図１１を参照しながら説明する。
【００５６】
先ず、携帯電話機２０（１）〜２０（ｎ）を携帯する観客が操作手段５６（例えば、通話ボタン）を操作し、この操作による前記操作手段５６からの信号に基づいて制御部５０はダイヤルトーン（送信要求信号）を生成する（ステップＳ２０）。
【００５７】
次いで、制御部５０は、前記ダイヤルトーンをインターフェース部４６、４８を介して各子機１８（１）〜１８（ｎ）の子機側制御部３６に転送する（ステップＳ２１）。
【００５８】
子機側制御部３６は、前記ダイヤルトーンを変調部１１４に転送する。前記変調部１１４は、前記ダイヤルトーンを電波として送信することができる高周波信号（搬送波）に重畳させる変調処理を行う。変調された前記搬送波は、増幅部３２において増幅され（ステップＳ２２）、さらに子機用アンテナ３０から電波として親機１４に送信される（ステップＳ２３）。
【００５９】
各子機用アンテナ３０から送信された前記各電波は、親機１４の親機用アンテナ２８で受信され、その後、前記電波による電気信号は、増幅部２６で増幅され、さらに復調部１１２で復調されてダイヤルトーンを示すデジタルデータに変換される（ステップＳ２４）。
【００６０】
変換された前記デジタルデータは、親機側制御部２２に入力され、前記親機側制御部２２から制御装置１２に出力される（ステップＳ２５）。前記制御装置１２に前記デジタルデータが入力されると（ステップＳ２６）、前記制御装置１２は、携帯電話機２０（１）〜２０（ｎ）からの前記送信要求信号が到着したものと判断して、図３のステップＳ１に示す発光処理コマンド７０を作成する。
【００６１】
次に、発光制御システム１０Ｂは、前記送信要求信号に基づいてステップＳ２〜Ｓ１７の処理を実行し、表示部５４に図７又は図９に示す発光パターン９８や表示パターン１１０を表示させる。
【００６２】
第２の実施の形態に係る発光制御システム１０Ｂでは、各携帯電話機２０（１）〜２０（ｎ）からの送信要求信号に基づいて、制御装置１２は、親機１４から各子機１８（１）〜１８（ｎ）に発光処理コマンド７０を送信するので、前記各携帯電話機２０（１）〜２０（ｎ）の表示部５４には、それぞれ異なる色や階調色の光が発光される。そのため、この場合でも、イベント会場の演出をより一層盛り上げることができる。
【００６３】
なお、本発明に係る発光制御システムは、上述の実施の形態に限らず、本発明の要旨を逸脱することなく、種々の構成を採り得ることはもちろんである。
【図面の簡単な説明】
【００６４】
【図１】第１の実施の形態に係る発光制御システムの構成図である。
【図２】図１の発光制御システムのブロック図である。
【図３】第１の実施の形態に係る発光制御システムの処理を示すフローチャートである。
【図４】第１の実施の形態に係る発光制御システムの処理を示すフローチャートである。
【図５】発光処理コマンドの構成を示す説明図である。
【図６】発光処理コマンドの構成を示す説明図である。
【図７】携帯電話機の表示部を示す一部平面図である。
【図８】発光処理コマンドの構成を示す説明図である。
【図９】携帯電話機の表示部を示す一部平面図である。
【図１０】第２の実施の形態に係る発光制御システムのブロック図である。
【図１１】第２の実施の形態に係る発光制御システムの処理を示すフローチャートである。
【符号の説明】
【００６５】
１０Ａ、１０Ｂ…発光制御システム    １２…制御装置
１４…親機                          １６…無線
１８（１）〜１８（ｎ）…子機
２０（１）〜２０（ｎ）…携帯電話機  ２２…親機側制御部
２４、１１４…変調部                ２６、３２…増幅部
２８…親機用アンテナ                ３０…子機用アンテナ
３４、１１２…復調部                ３６…子機側制御部
３８…第１メモリ                    ４０…第２メモリ
４２…ワークメモリ                  ４４、６４…バッテリ
４６、４８…インターフェース部      ５０…制御部
５２…メモリ                        ５４…表示部
５６…操作手段                      ５８…カメラ撮影部
６０…送受信部                      ６２…携帯電話機用アンテナ
【図１】
2005249910.tif 000003
【図２】
2005249910.tif 000004
【図３】
2005249910.tif 000005
【図４】
2005249910.tif 000006
【図５】
2005249910.tif 000007
【図６】
2005249910.tif 000008
【図７】
2005249910.tif 000009
【図８】
2005249910.tif 000010
【図９】
2005249910.tif 000011
【図１０】
2005249910.tif 000012
【図１１】
2005249910.tif 000013